(57)【特許請求の範囲】
【請求項１】
放射線を検出する放射線センサと、
放射線の検出結果に応じて振動する振動モータと、
一方端から他方端まで伸長された基板と、
を有し、
前記放射線センサは、前記一方端において基板に設けられ、
前記振動モータは、前記他方端において基板に設けられる、
ことを特徴とする個人線量計。
【請求項２】
請求項１に記載の個人線量計において、
放射線の検出結果に応じて音を出すブザーをさらに有し、
前記ブザーと前記振動モータが前記他方端において前記基板を挟み込むようにして、前記基板の一方面にブザーが配置されて他方面に振動モータが配置される、
ことを特徴とする個人線量計。
【請求項３】
請求項１または２に記載の個人線量計において、
前記振動モータを支えるモータホルダをさらに有し、
前記振動モータは、その外形が円盤状であり、
前記モータホルダは、円盤状の前記振動モータを収容して当該振動モータをその外周側から支える収容部を備える、
ことを特徴とする個人線量計。
【請求項４】
請求項３に記載の個人線量計において、
前記振動モータが前記モータホルダの収容部から取り外された状態で、前記収容部の内径が前記振動モータの外径よりも小さい、
ことを特徴とする個人線量計。
【請求項５】
請求項１から４のいずれか１項に記載の個人線量計において、
前記モータホルダは、直接的または間接的に当該個人線量計の筐体に接触して前記振動モータの振動を当該筐体に伝える突起部を備える、
ことを特徴とする個人線量計。
【発明の詳細な説明】
【技術分野】
【０００１】
本発明は、個人線量計に関する。
【背景技術】
【０００２】
個人線量計は、原子力発電所などにおいて作業員の被曝を管理するために利用される。個人線量計は、一般に、作業員の胸ポケットに装着され、その内部に設けられた放射線センサによって放射線を検出する。そして、個人線量計は、それを装着した作業員や被曝の管理者などに、放射線の検出結果を伝える何らかの手段を備えている。特許文献１には、表示部を備えた個人線量計が記載されており、例えばその表示部に放射線の検出結果が表示される。
【０００３】
また、放射線の線量が非常に多い現場で利用され、作業員などに確実にその検出結果を伝えたい場合には、個人線量計が、例えば特許文献２に記載される振動モータなどを利用した伝達手段を備えていることが望ましい。
【先行技術文献】
【特許文献】
【０００４】
【特許文献１】特開２０１０−２４３３８０号公報
【特許文献２】特開２００７−２０９１３２号公報
【発明の概要】
【発明が解決しようとする課題】
【０００５】
個人線量計に振動モータを設ける場合には、振動モータの振動が利用者に的確に伝わるとともに、振動モータの振動が例えば放射線センサの検出機能に悪影響を及ぼさないことが望ましい。このように、個人線量計に振動モータを設ける場合には、一般的な携帯端末とは異なる個人線量計に特有の事情を考慮した設計が望ましい。
【０００６】
本発明は、このような背景において成されたものであり、その目的は、個人線量計に適した振動モータの取り付けを実現することにある。
【課題を解決するための手段】
【０００７】
上記目的にかなう好適な個人線量計は、放射線を検出する放射線センサと、放射線の検出結果に応じて振動する振動モータと、一方端から他方端まで伸長された基板とを有し、前記放射線センサは、前記一方端において基板に接続され、前記振動モータは、前記他方端において基板に設けられる、ことを特徴とする。
【０００８】
この個人線量計によれば、振動モータと放射線センサが、伸長された基板の一方端と他方端に互いに比較的離れて設けられる。そのため、例えば、振動モータと放射線センサが互いに近接して設けられる場合に比べて、振動モータの振動が放射線センサに伝わり難くなり、振動モータの振動が放射線センサの検出機能に及ぼす影響を比較的小さく抑えることができる。また、例えば、振動モータが設けられた他方端側を利用者の胸ポケット内に挿入することにより、振動モータの振動が利用者に伝わりやすくなる。なお、例えば、細長いペンシル型の個人線量計とすることにより、胸ポケットへの挿入が容易になるなど使いやすさが向上し、また、比較的邪魔になりにくくなる。
【０００９】
望ましい具体例において、前記個人線量計は、放射線の検出結果に応じて音を出すブザーをさらに有し、前記ブザーと前記振動モータが前記基板を挟み込むようにして、基板の一方面にブザーが配置されて他方面に振動モータが配置される、ことを特徴とする。
【００１０】
望ましい具体例において、前記個人線量計は、前記振動モータを支えるモータホルダをさらに有し、前記振動モータは、その外形が円盤状であり、前記モータホルダは、円盤状の前記振動モータを収容して当該振動モータをその外周側から支える収容部を備える、ことを特徴とする。
【００１１】
望ましい具体例において、前記個人線量計は、前記振動モータが前記モータホルダの収容部から取り外された状態で、前記収容部の内径が前記振動モータの外径よりも小さい、ことを特徴とする。
【００１２】
望ましい具体例において、前記個人線量計は、前記モータホルダは、直接的または間接的に当該個人線量計の筐体に接触して前記振動モータの振動を当該筐体に伝える突起部を備える、ことを特徴とする。
【発明の効果】
【００１３】
本発明により、個人線量計に適した振動モータの取り付けが実現される。例えば、本発明の好適な態様によれば、振動モータの振動が放射線センサの検出機能に及ぼす影響を比較的小さく抑えることができる。
【図面の簡単な説明】
【００１４】
【図１】本発明の実施において好適な個人線量計の斜視図である。
【図２】図１に示す個人線量計の断面図である。
【図３】図２に示す断面図における振動モータ近傍の部分拡大図である。
【図４】振動モータの近傍を部分的に示した上面図である。
【発明を実施するための形態】
【００１５】
以下に本発明の好適な実施形態を説明する。
【００１６】
図１は、本発明の実施において好適な個人線量計１０の斜視図である。この個人線量計１０は、原子力発電所等において作業員の被曝を管理するためのものであり、例えば作業者の胸ポケットなどに装着される。
【００１７】
図１に示す個人線量計１０は、本体１２とキャップ１４とにより構成されている。キャップ１４は本体１２に対して着脱自在に装着される。本体１２とキャップ１４とに跨ってバッテリーとしての電池を収容する収納室が形成されている。本体１２の内部には放射線センサ２０が設けられている。具体的には電子基板上に放射線センサが設けられている。符号１６は表示器を表しており、符号１８はボタン群を表している。本体１２の裏面側にはクリップが設けられている。
【００１８】
図２は、図１に示す個人線量計１０の断面図である。この個人線量計１０は、放射線センサ２０と振動モータ３０とブザー４０を備えている。放射線センサ２０は、放射線を検出するセンサである。放射線センサ２０によって検出された放射線の検出結果は、表示器１６に表示され、これにより、個人線量計１０を装着した作業員や被曝を管理する管理者に検出結果が伝えられる。例えば積算線量当量（ｍＳｖ：ミリシーベルト）や線量当量率（μＳｖ／ｈ：マイクロシーベルトパーアワー）などの数値が表示器１６に表示される。
【００１９】
なお、数値等を表示する表示器１６に加えて、色等により計測状態を知らせるＬＥＤ等の表示デバイスが設けられてもよい。また、放射線の検出結果に応じて、ＬＥＤの色等を変化させてもよい。
【００２０】
さらに、放射線の検出結果に応じて振動モータ３０とブザー４０も作動する。例えば、放射線センサ２０によって検出された放射線の検出結果が、設定された閾値を超えた場合に振動モータ３０が振動し、個人線量計１０を装着した作業員に検出結果が伝えられる。また、放射線の検出結果が設定された閾値を超えた場合に、ブザー４０が音を発して作業員に検出結果が伝えられる。なお、振動モータ３０を作動させる閾値とブザー４０を作動させる閾値は、互いに同じ値であってもよいし互いに異なる値が設定されてもよい。さらに、それらの閾値をユーザが適宜な値に設定できるようにしてもよい。また、段階的に閾値を設けて、振動や音の態様を段階的に切り替えるようにしてもよい。もちろん、振動モータ３０の振動とブザー４０の音とＬＥＤの色とを適宜に組み合わせて、放射線の検出結果を作業員に知らせるようにしてもよい。
【００２１】
放射線センサ２０と振動モータ３０とブザー４０は、電子回路基板５０に設けられる。電子回路基板５０は、ペンシル型（棒状）である個人線量計１０の全体形状に適合するように、細長く伸長された形状である。そして、その電子回路基板５０の一方端に放射線センサ２０が接続されて他方端に振動モータ３０とブザー４０が設けられる。振動モータ３０とブザー４０は、電子回路基板５０を挟み込むようにして、電子回路基板５０の表面側に振動モータ３０が配置されて裏面側にブザー４０が配置される。なお、振動モータ３０は、モータホルダ３２によって支えられつつ、電子回路基板５０に配置される。
【００２２】
電子回路基板５０とそれに取り付けられた放射線センサ２０や振動モータ３０などは筐体１００に収容される。電子回路基板５０とそれに取り付けられた放射線センサ２０や振動モータ３０などが、シールド袋に包み込まれて、筐体１００に収容されてもよい。その場合のシールド袋は、例えば導電性部材でメッシュ状に形成される。
【００２３】
なお、図２において、符号６０は、電池を収容する収容室を表している。また、筐体１００の裏面側にはクリップ１１０が設けられている。
【００２４】
利用の際には、個人線量計１０の表面側が作業員の体表面側に向けられ、個人線量計１０の振動モータ３０側が作業員のポケットの奥に挿入される。そして、ポケットの入り口側でクリップ１１０と筐体１００がポケットを挟み込み、個人線量計１０が作業員のポケットに装着される。
【００２５】
図２に示す構成においては、振動モータ３０と放射線センサ２０が、伸長された電子回路基板５０の一方端と他方端に互いに比較的離れて設けられる。そのため、例えば、振動モータ３０と放射線センサ２０とを近接して配置する場合に比べて、振動モータ３０の振動が放射線センサ２０に伝わり難くなり、振動モータ３０の振動が放射線センサ２０の検出機能に及ぼす影響を比較的小さく抑えることができる。なお、振動モータ３０と放射線センサ２０を互いに遠ざけて配置しているものの、それらの間には表示器１６などの比較的大きなデバイスが配置されており、筐体１００内の無駄なスペースを極力抑えた極めて効率的な配置が実現されている。また、振動モータ３０側が作業員の胸ポケット内に挿入され、さらに振動モータ３０が作業員の体表面側に向けられるため、振動モータ３０の振動が作業員に伝わりやすくなる。
【００２６】
図３は、図２に示す断面図における振動モータ３０近傍の部分拡大図である。振動モータ３０は、ブザー４０が配置される反対面（図２の表面側）において電子回路基板５０上に配置される。なお、振動モータ３０と電子回路基板５０の間には、例えばゴム等により板状に形成された土台を挿入することが望ましい。振動モータ３０は、モータホルダ３２に支えられつつ電子回路基板５０上に設けられる。
【００２７】
モータホルダ３２は、その一部が電子回路基板５０内に挿入されて電子回路基板５０上に固定されて振動モータ３０を支えている。さらに、モータホルダ３２は、振動モータ３０を支える機能に加え、振動モータ３０の振動を筐体１００に伝える機能も備えている。
【００２８】
振動モータ３０の振動は、まず振動モータ３０に接触するモータホルダ３２に伝わる。そのモータホルダ３２は、振動モータ３０の振動を筐体１００に伝える突起部Ｐを備えている。そして、モータホルダ３２の突起部Ｐが、シールド袋などを介して間接的に筐体１００に接触して、振動モータ３０の振動を筐体１００に伝える。なお、突起部Ｐが直接的に筐体１００に接触して筐体１００に振動を伝えてもよい。
【００２９】
このように、モータホルダ３２を介して、振動モータ３０の振動が比較的効率よく筐体１００に伝えられる。なお、振動モータ３０から電子回路基板５０を介して筐体１００に伝えらる振動の成分が存在してもよい。
【００３０】
図４は、振動モータ３０の近傍を部分的に示した上面図である。振動モータ３０は、その外形が円盤状であり、その内部に偏心回転する回転体を備え、その回転体が回転運動することにより外部に振動を伝える。モータホルダ３２は、円盤状の振動モータ３０を収容して振動モータ３０をその外周側から支える収容部を備えている。つまり図４において振動モータ３０を配置した部分がモータホルダ３２の収容部である。モータホルダ３２は、振動モータ３０の外周の全域を取り囲む形状であってもよいし、振動モータ３０の外周の一部を露出した形状であってもよい。
【００３１】
また、振動モータ３０がモータホルダ３２の収容部から取り外された状態において、収容部の内径は振動モータ３０の外径よりも小さく設計される。これにより、モータホルダ３２の収容部に振動モータ３０が収容された際に、モータホルダ３２の収容部により振動モータ３０が外周から締め付けられる。また、その締め付けにより、振動モータ３０とモータホルダ３２が密着し、振動モータ３０の振動が効率よくモータホルダ３２に伝えられる。そして、モータホルダ３２に設けられた突起部Ｐから筐体に振動が伝えられる。
【００３２】
なお、図４には、電池を収容する収容室６０も示されている。その収容室６０に収容された図示しない電池から、マイナス端子６２とプラス端子６４を介して、電子回路基板５０に電力が供給される。
【００３３】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【００３４】
１０  個人線量計、２０  放射線センサ、３０  振動モータ、３２  モータホルダ、４０  ブザー、５０  電子回路基板。
【図１】
0005806601.tif 000002
【図２】
0005806601.tif 000003
【図３】
0005806601.tif 000004
【図４】
0005806601.tif 000005